(57)【要約】【課題】バックシェルの姿勢を安定させることのできる簡易な構造を備えるコネクタを提供すること。【解決手段】フロントシェル４０の上側に関して、フロントシェル４０の第１接触部５０Ｕをバックシェル６０Ａの上側部材７０Ａの第２接触部７４に接触させると共に上側部材７０Ａの開口部７２を通して被固定部５２Ｕを第２接触部７４に導電性固着剤により固着する。フロントシェル４０の下側に関しても同様にしてフロントシェル４０に対してバックシェル６０Ａの下側部材８０Ａを固定する。これにより、バックシェル６０Ａのサイズを変更したとしてもバックシェル６０Ａの姿勢を安定させることができる。【選択図】図１７
2015230770.tif 000002
【特許請求の範囲】
【請求項１】
前後方向に沿って相手側コネクタと嵌合するコネクタであって、
前記コネクタは、フロントシェルと、前記前後方向と直交する所定方向において前記フロントシェルと少なくとも部分的に重なり合うバックシェルとを備えており、
前記フロントシェルには、第１接触部と、前記所定方向と直交する面内において前記第１接触部により環囲された被固定部とが設けられており、
前記バックシェルには、開口部と、前記所定方向と直交する面内において前記開口部を環囲する第２接触部とが設けられており、
前記所定方向において前記第２接触部が前記第１接触部に接触しており、それによって、前記所定方向において前記被固定部が前記開口部内に視認可能となると共に前記バックシェルの前記フロントシェルに対する位置決めがなされており、
導電性固着剤を用いて前記開口部を通じて前記被固定部と前記第２接触部を固着可能なコネクタ。
【請求項２】
請求項１記載のコネクタであって、
前記被固定部は、前記所定方向において前記第１接触部よりも突出しており、前記所定方向と直交する面内において前記開口部内に位置している
コネクタ。
【請求項３】
請求項１又は請求項２記載のコネクタであって、
前記第２接触部は前記第１接触部に対して面接触している
コネクタ。
【請求項４】
請求項１乃至請求項３のいずれかに記載のコネクタであって、
前記バックシェルは、前記第２接触部から前記所定方向において離れて位置する主部と、前記主部と前記第２接触部とを連結する連結部とを有している
コネクタ。
【請求項５】
請求項４記載のコネクタであって、
前記連結部は、前記所定方向を含む面内において断面台形の筒状形状を有している
コネクタ。
【請求項６】
請求項１乃至請求項５のいずれかに記載のコネクタであって、
前記コネクタは、コンタクトを含むコネクタ本体と、パドルカードとを備えており、
前記フロントシェルは、前記コネクタ本体を少なくとも部分的に覆う主部と、前記前後方向において前記主部から後方に突出した突出部とを有しており、
前記パドルカードは、前記前後方向において前記フロントシェルの前記主部から後方に突出しており、
前記パドルカードには、前記コンタクトと接続される第１パッドと、前記前後方向において前記第１パッドよりも後方に位置すると共に前記前後方向及び前記直交方向の双方と直交する横方向において前記第１パッドから離れて位置する第２パッドとが形成されており、
前記突出部は、前記直交方向において前記パドルカードの厚みよりも大きなサイズを有しており、且つ、前記横方向において前記第２パッドと並んでおり、
前記突出部と前記第２パッドを前記導電性固着剤を用いて固着可能である
コネクタ。
【請求項７】
請求項６記載のコネクタであって、
前記パドルカードは、前記前後方向と直交する直交方向と交差する主面を有しており、
前記第１パッド及び前記第２パッドは、前記パドルカードの前記主面上に形成されている
コネクタ。
【請求項８】
請求項７記載のコネクタであって、
前記パドルカードは、２つの前記主面を有しており、
前記主面の夫々には、前記横方向において離れて位置する２つの前記第２パッドが設けられており、
前記フロントシェルは、２つの前記突出部を有しており、
前記突出部の夫々は、前記直交方向において前記パドルカードの両外側まで張り出しており、一方の前記主面に形成された前記第２パッドの一つと他方の前記主面に形成された前記第２パッドの一つとに固着される
コネクタ。
【請求項９】
請求項６乃至請求項８のいずれかに記載のコネクタであって、
前記突出部は、平板形状を有している
コネクタ。
【請求項１０】
請求項６乃至請求項９のいずれかに記載のコネクタであって、
前記パドルカードには、接続対象物に接続される第３パッドが更に設けられており、
前記第３パッドは、前記前後方向において前記突出部よりも少なくとも部分的に後方に位置すると共に前記横方向において前記第２パッドよりも内側に位置している
コネクタ。
【請求項１１】
請求項１乃至請求項１０のいずれかに記載のコネクタであって、
前記導電性固着剤は、半田である
コネクタ。
【発明の詳細な説明】
【技術分野】
【０００１】
本発明は、シェルとそのシェルの後方においてシールドする手段とを備えるコネクタに関する。
【背景技術】
【０００２】
この種のコネクタとしては、特許文献１に開示されるものがある。図１９及び図２０を参照すると、特許文献１のコネクタは、シェル（フロントシェル）と、シェルの後方においてシールドする手段としてバックシェルとを備えている。特に、図２０に示されるように、バックシェル内には、パドルカード（中継基板）などが配置される。
【先行技術文献】
【特許文献】
【０００３】
【特許文献１】特開２０１１−１２４１４７号公報
【発明の概要】
【発明が解決しようとする課題】
【０００４】
コネクタの用途や用法によって、バックシェル内に収容される要素が異なる場合がある。そのような場合に、例えば、パドルカード上に集積回路（ＩＣ）を搭載するなどの理由で、バックシェルの外形やサイズを変えたいこともある。コスト面を考慮すると、バックシェルのみを変更することで対処するのが望ましいが、単にバックシェルのみを変更することとするとバックシェルの姿勢が安定しないという問題がある。
【０００５】
そこで、本発明は、バックシェルの姿勢を安定させることのできる簡易な構造を備えるコネクタを提供することを目的とする。
【課題を解決するための手段】
【０００６】
本発明は、第１のコネクタとして、
前後方向に沿って相手側コネクタと嵌合するコネクタであって、
前記コネクタは、フロントシェルと、前記前後方向と直交する所定方向において前記フロントシェルと少なくとも部分的に重なり合うバックシェルとを備えており、
前記フロントシェルには、第１接触部と、前記所定方向と直交する面内において前記第１接触部により環囲された被固定部とが設けられており、
前記バックシェルには、開口部と、前記所定方向と直交する面内において前記開口部を環囲する第２接触部とが設けられており、
前記所定方向において前記第２接触部が前記第１接触部に接触しており、それによって、前記所定方向において前記被固定部が前記開口部内に視認可能となると共に前記バックシェルの前記フロントシェルに対する位置決めがなされており、
導電性固着剤を用いて前記開口部を通じて前記被固定部と前記第２接触部を固着可能なコネクタを提供する。
【０００７】
本発明は、第２のコネクタとして、第１のコネクタであって、
前記被固定部は、前記所定方向において前記第１接触部よりも突出しており、前記所定方向と直交する面内において前記開口部内に位置している
コネクタを提供する。
【０００８】
本発明は、第３のコネクタとして、第１又は第２のコネクタであって、
前記第２接触部は前記第１接触部に対して面接触している
コネクタを提供する。
【０００９】
本発明は、第４のコネクタとして、第１乃至第３のいずれかのコネクタであって、
前記バックシェルは、前記第２接触部から前記所定方向において離れて位置する主部と、前記主部と前記第２接触部とを連結する連結部とを有している
コネクタを提供する。
【００１０】
本発明は、第５のコネクタとして、第４のコネクタであって、
前記連結部は、前記所定方向を含む面内において断面台形の筒状形状を有している
コネクタを提供する。
【００１１】
本発明は、第６のコネクタとして、第１乃至第５のコネクタであって、
前記コネクタは、コンタクトを含むコネクタ本体と、パドルカードとを備えており、
前記フロントシェルは、前記コネクタ本体を少なくとも部分的に覆う主部と、前記前後方向において前記主部から後方に突出した突出部とを有しており、
前記パドルカードは、前記前後方向において前記フロントシェルの前記主部から後方に突出しており、
前記パドルカードには、前記コンタクトと接続される第１パッドと、前記前後方向において前記第１パッドよりも後方に位置すると共に前記前後方向及び前記直交方向の双方と直交する横方向において前記第１パッドから離れて位置する第２パッドとが形成されており、
前記突出部は、前記直交方向において前記パドルカードの厚みよりも大きなサイズを有しており、且つ、前記横方向において前記第２パッドと並んでおり、
前記突出部と前記第２パッドを前記導電性固着剤を用いて固着可能である
コネクタを提供する。
【００１２】
本発明は、第７のコネクタとして、第６のコネクタであって、
前記パドルカードは、前記前後方向と直交する直交方向と交差する主面を有しており、
前記第１パッド及び前記第２パッドは、前記パドルカードの前記主面上に形成されている
コネクタを提供する。
【００１３】
本発明は、第８のコネクタとして、第７のコネクタであって、
前記パドルカードは、２つの前記主面を有しており、
前記主面の夫々には、前記横方向において離れて位置する２つの前記第２パッドが設けられており、
前記フロントシェルは、２つの前記突出部を有しており、
前記突出部の夫々は、前記直交方向において前記パドルカードの両外側まで張り出しており、一方の前記主面に形成された前記第２パッドの一つと他方の前記主面に形成された前記第２パッドの一つとに固着される
コネクタを提供する。
【００１４】
本発明は、第９コネクタとして、第６乃至第８のいずれかのコネクタであって、
前記突出部は、平板形状を有している
コネクタを提供する。
【００１５】
本発明は、第１０のコネクタとして、第６乃至第９のいずれかのコネクタであって、
前記パドルカードには、接続対象物に接続される第３パッドが更に設けられており、
前記第３パッドは、前記前後方向において前記第突出部よりも少なくとも部分的に後方に位置すると共に前記横方向において前記第２パッドよりも内側に位置している
コネクタを提供する。
【００１６】
本発明は、第１１のコネクタとして、第１乃至第１０のいずれかのコネクタであって、
前記導電性固着剤は、半田である
コネクタを提供する。
【００１７】
本発明は、更に他のコネクタとして、
コンタクトを含むコネクタ本体と、シェルと、パドルカードとを備えるコネクタであって、
前記シェルは、前記コネクタ本体を少なくとも部分的に覆う主部と、前後方向において前記主部から後方に突出した突出部とを有しており、
前記パドルカードは、前記前後方向において前記シェルの前記主部から後方に突出しており、
前記パドルカードには、前記コンタクトと接続される第１パッドと、前記前後方向において前記第１パッドよりも後方に位置すると共に前記前後方向及び前記直交方向の双方と直交する横方向において前記第１パッドから離れて位置する第２パッドとが形成されており、
前記突出部は、前記直交方向において前記パドルカードの厚みよりも大きなサイズを有しており、且つ、前記横方向において前記第２パッドと並んでおり、
導電性固着剤を用いて前記突出部と前記第２パッドとを固着可能である
コネクタを提供する。
コネクタの組立工程において、パドルカードに何らかの力が加えられた場合であっても、パドルカードとシェルが物理的に接続されていることからコンタクトと第１パッドとの接続部分に負荷が集中してしまうことを軽減することができる。
【発明の効果】
【００１８】
本発明によれば、フロントシェルの第１接触部に対してバックシェルの第２接触部を接触させた状態において、バックシェルの開口部を通じてフロントシェルの被固定部とバックシェルの第２接触部とを半田などの導電性固着剤を用いて固着することができる。このように、バックシェルとフロントシェルとでバックシェルのフロントシェルに対する位置決めをしてから両者を固着させるため、バックシェルの姿勢が安定する。
【００１９】
バックシェルのフロントシェルに対する位置決めは、バックシェルとフロントシェルとにより行っていることから、バックシェルのサイズや形状の変更に併せてバックシェルの姿勢安定のためにコネクタの保持部材等の構造を変更する必要がない。
【図面の簡単な説明】
【００２０】
【図１】本発明の実施の形態によるコネクタを示す上面斜視図である。
【図２】図１のコネクタを示す底面斜視図である。
【図３】図１のコネクタを示す分解上面斜視図である。
【図４】図２のコネクタを示す分解底面斜視図である。
【図５】図１のコネクタをＶ--Ｖ線に沿って示す断面図である。
【図６】パドルカード及びケーブルを示す上面斜視図である。
【図７】図６のパドルカード及びケーブルを示す底面斜視図である。
【図８】図３のコネクタ本体及びフロンとシェルと図６のパドルカード及びケーブルを備える構造体を示す上面図である。
【図９】図８の構造体を示す前側上面斜視図である。
【図１０】図８の構造体を示す後側上面斜視図である。
【図１１】図８の構造体を示す前側底面斜視図である。
【図１２】図８の構造体を示す後側底面斜視図である。
【図１３】図８の構造体の一部を示す拡大上面図である。
【図１４】図１のコネクタとバックシェルだけが異なる他のコネクタを示す上面斜視図である。
【図１５】図１４のコネクタを示す底面斜視図である。
【図１６】図１４のコネクタを示す背面図である。
【図１７】図１４のコネクタを示す分解上面斜視図である。
【図１８】図１４のコネクタを示す分解底面斜視図である。
【図１９】特許文献１のコネクタを示す斜視図である。
【図２０】特許文献１のコネクタを示す他の斜視図である。バックシェルの一部が取り外されており、バックシェル内部の構造が視認できる。
【発明を実施するための形態】
【００２１】
図１乃至図５を参照すると、本発明の実施の形態によるコネクタ１０は、前後方向（Ｘ方向）において相手側コネクタ（図示せず）と嵌合するものであり、コネクタ本体１５と、コネクタ本体１５を部分的に覆うフロントシェル（シェル）４０と、前後方向と直交する所定方向（Ｚ方向）においてフロントシェル４０と少なくとも部分的に重なり合うバックシェル６０とを備えている。本実施の形態において、所定方向は、上下方向（直交方向）である。図８乃至図１２に示されるように、コネクタ本体１５の後側には、パドルカード（中継基板）１００が取り付けられる。図１乃至図４並びに図８乃至図１２から理解されるように、実使用時においては、パドルカード１００を覆うように、バックシェル６０がフロントシェル４０に対して取り付けられる。
【００２２】
図３乃至図５に示されるように、コネクタ本体１５は、複数のコンタクト２０と、それらを保持する絶縁体からなる保持部材３０を備えている。図３及び図４に示されるように、各コンタクト２０は、相手側コネクタ（図示せず）の相手側コンタクト（図示せず）に接続される接点部２２を有している。更に、図８乃至図１３に示されるように、各コンタクト２０は、パドルカード１００に接続される接続部２４を有している。
【００２３】
図３及び図４に示されるように、フロントシェル４０は、コネクタ本体１５を部分的に覆う主部４２と、前後方向において主部４２から後方（−Ｘ方向）に突出した２つの突出部４４とを有している。
【００２４】
フロントシェル４０の主部４２には、第１接触部５０Ｕ，５０Ｌと、被固定部５２Ｕ，５２Ｌと、２つの側突部５４とが設けられている。図３に示されるように、第１接触部５０Ｕは、２つあり、双方とも主部４２の上側（＋Ｚ側）且つ後側（−Ｘ側）の領域に形成されている。被固定部５２Ｕは、２つあり、所定方向と直交する面内（ＸＹ平面内）において第１接触部５０Ｕにより夫々環囲されている。即ち、被固定部５２Ｕは、夫々、第１接触部５０Ｕにより全周を囲まれている。本実施の形態において、第１接触部５０Ｕと被固定部５２Ｕの間には認識できる物理的な境界はない。換言すると、本実施の形態の第１接触部５０Ｕ及び被固定部５２Ｕは、同一の板状部の一部として形成されている。図４に示されるように、第１接触部５０Ｌは、２つあり、双方とも主部４２の下側（−Ｚ側）且つ後側の領域に形成されている。被固定部５２Ｌは、２つあり、所定方向と直交する面内（ＸＹ平面内）において第１接触部５０Ｌにより夫々環囲されている。即ち、被固定部５２Ｌは、夫々、第１接触部５０Ｌにより全周を囲まれている。本実施の形態において、被固定部５２Ｌは、所定方向において第１接触部５０Ｌよりも突出している。具体的には、被固定部５２Ｌは、第１接触部５０Ｌよりも下側に突出している。側突部５４は、夫々、主部４２の横方向（Ｙ方向）の両側を切り起こして形成されたものであり、横方向において外側に突出している。
【００２５】
図３及び図４から理解されるように、突出部４４は、平板形状を有しており、前後方向と直交する直交方向（Ｚ方向）と前後方向とで規定される平面（ＸＺ平面）内に延びるように配置されている。図９乃至図１２から理解されるように、突出部４４は、直交方向においてパドルカード１００の厚み（Ｚ方向のサイズ）よりも大きなサイズを有している。特に、本実施の形態において、突出部４４の夫々は、直交方向においてパドルカード１００の両外側まで（即ち、上下に）張り出している。
【００２６】
図１乃至図４から理解されるように、本実施の形態によるバックシェル６０は、上側部材７０と下側部材８０の２つの部材からなる。
【００２７】
図１及び図３に示されるように、上側部材７０には、２つの開口部７２と、２つの第２接触部７４と、２つの側開口部７６と、２つの側突部７８とが設けられている。第２接触部７４は、所定方向と直交する面内（ＸＹ平面内）において開口部７２を環囲している。即ち、開口部７２は、夫々、第２接触部７４により全周に亘って囲まれている。側開口部７６の一つと側突部７８の一つとが組をなし、夫々、上側部材７０の側部に形成されている。側開口部７６は、上側部材７０を横方向において貫通している。側突部７８は、上側部材７０の側部を切り起こして形成されたものであり、対応する側開口部７６から後方に離れて位置しており且つ横方向において外側に突出している。
【００２８】
図２及び図４に示されるように、下側部材８０には、２つの開口部８２と、２つの第２接触部８４と、２つの側開口部８６とが設けられている。第２接触部８４は、所定方向と直交する面内（ＸＹ平面内）において開口部８２を環囲している。即ち、開口部８２は、夫々、第２接触部８４により全周に亘って囲まれている。側開口部８６は、夫々、下側部材８０の側部を横方向において貫通している。
【００２９】
図８乃至図１２に示されるように、パドルカード１００は、前後方向においてフロントシェル４０の主部４２から後方に突出している。
【００３０】
図６及び図７に示されるように、パドルカード１００は、上面１０２Ｕ及び下面１０２Ｌの２つの主面を有している。上面１０２Ｕ及び下面１０２Ｌは、直交方向（Ｚ方向）と交差している。パドルカード１００の上面１０２Ｕ上には、複数の第１パッド１１０と、２つの第２パッド１２０と、複数の第３パッド１３０とが形成されている。同様に、パドルカード１００の下面１０２Ｌ上にも、複数の第１パッド１１０と、２つの第２パッド１２０と、複数の第３パッド１３０とが形成されている。
【００３１】
図８乃至図１３から理解されるように、第１パッド１１０は、コンタクト２０の接続部２４と半田により接続される部位である。第２パッド１２０は、フロントシェル４０の突出部４４と半田により固着される部位である。第３パッド１３０は、ケーブル２００の芯線２１０と半田により接続される部位である。第２パッド１２０は、前後方向において第１パッド１１０よりも後方に位置すると共に横方向において第１パッド１１０から離れて位置している。換言すると、第１パッド１１０は、横方向において、第２パッド１２０の間に位置している。第３パッド１３０は、前後方向において第２パッド１２０よりも少なくとも部分的に後方に位置すると共に横方向において第２パッド１２０よりも内側に位置している。即ち、第３パッド１３０は、横方向において第２パッド１２０の間に位置している。
【００３２】
上述したことから理解されるように、本実施の形態において、パドルカード１００には合計４つの第２パッド１２０が設けられている。このうち上面１０２Ｕ上の１つの第２パッド１２０と下面１０２Ｌ上の１つの第２パッド１２０とがペアとなり、１つの突出部４４に対応している。各突出部４４は、対応する上下２つの第２パッド１２０と横方向において並んでいる。突出部４４は、上下方向においてパドルカード１００の厚み（Ｚ方向のサイズ）よりも大きなサイズを有しており、上側及び下側の双方においてパドルカード１００よりも突出している。各突出部４４は、ＸＺ平面内に延びており、各第２パッド１２０はＸＹ平面内に延びている。即ち、突出部４４の延びる面と第２パッド１２０の延びる面とは交差している。各突出部４４は、対応する上下２つの第２パッド１２０に対して半田により固定される。このように第２パッド１２０をフロントシェル４０の突出部４４に固定することとすると、コネクタ１０の組立工程において、ケーブル２００が煽られたりしてパドルカード１００に力が加わった場合であっても、フロントシェル４０の突出部４４とパドルカード１００の第２パッド１２０とが半田により物理的に接続されていることからコンタクト２０の接続部２４と第１パッド１１０との接続部分に負荷が集中してしまうことを軽減することができる。加えて、第２パッド１２０と突出部４４との接続は、コンタクト２０の接続部２４を第１パッド１１０に接続する接続工程やケーブル２００の芯線２１０を第３パッド１３０に接続する結線工程と同じ工程において行うことができる。従って、第２パッド１２０と突出部４４との接続のためだけの工程を別途行う必要がなく、製造コストが大幅に上がることもない。
【００３３】
図３乃至図５から理解されるように、バックシェル６０の上側部材７０をフロントシェル４０の後側の部位に上側から被せて、フロントシェル４０の側突部５４を上側部材７０の側開口部７６内に嵌め込み、その後、バックシェル６０の下側部材８０をフロントシェル４０の後側の部位に下側から被せて、上側部材７０の側突部７８を下側部材８０の側開口部８６内に嵌め込むことにより、バックシェル６０をフロントシェル４０の後部に取り付ける。この際、図５に最もよく示されるように、所定方向において第２接触部７４が第１接触部５０Ｕに接触していると共に第２接触部８４が第１接触部５０Ｌに接触している。特に、本実施の形態においては、第２接触部７４は第１接触部５０Ｕに対して面接触しており、第２接触部８４は第１接触部５０Ｌに対して面接触している。これによって、バックシェル６０のうちの上側部材７０のフロントシェル４０に対する位置決めがなされると共にバックシェル６０のうちの下側部材８０のフロントシェル４０に対する位置決めがなされている。この際、所定方向において、被固定部５２Ｕが開口部７２と重なっており、被固定部５２Ｌが開口部８２と重なっている。更に、下側の被固定部５２Ｌは、所定方向と直交する面内（ＸＹ平面内）において開口部８２内に位置している。即ち、被固定部５２Ｌは、開口部８２内に突出している。このような状態において、開口部７２を通じて被固定部５２Ｕと第２接触部７４とを半田を用いて固着し、開口部８２を通じて被固定部５２Ｌと第２接触部８４とを半田を用いて固着することにより、バックシェル６０をフロントシェル４０に接続することができる。特に、バックシェル６０の下側部材８０とフロントシェル４０に関しては、被固定部５２Ｌが開口部８２内に突出していることから、被固定部５２Ｌから第２接触部８４の下側（−Ｚ側）の面との距離を短くできるため、被固定部５２Ｌと第２接触部８４を半田で接続する際に接続しやすい。
【００３４】
このように第１接触部５０Ｕ，５０Ｌを第２接触部７４，８４に接触させると共に開口部７２，８２を通して被固定部５２Ｕ，５２Ｌを第２接触部７４，８４に半田により固着すれば、バックシェル６０の姿勢を安定させることができる。
【００３５】
図１４乃至図１８を参照すると、コネクタ１０Ａは、バックシェル６０（図１乃至図４参照）と比較して特に所定方向（上下方向：直交方向）におけるサイズの大きなバックシェル６０Ａを備えている。図１乃至図４と図１４、図１５、図１７及び図１８を比較すると理解されるように、コネクタ１０Ａは、上述したコネクタ１０とバックシェル６０Ａのみにおいて異なっており、コネクタ本体１５やフロントシェル４０については同構造のものを備えている。
【００３６】
バックシェル６０Ａは、所定方向と直交する板状の２つの主部９０Ａ，９２Ａを備えている。詳しくは、バックシェル６０Ａは、上側部材７０Ａと下側部材８０Ａの２つの部材を備えている。主部９０Ａは、上側部材７０Ａに設けられており、主部９２Ａは、下側部材８０Ａに設けられている。バックシェル６０Ａは、主部９０Ａと主部９２Ａとの間の距離が上述したバックシェル６０（図１及び図２参照）の場合と比較して大きい。即ち、バックシェル６０Ａは、所定方向においてバックシェル６０（図１及び図２参照）と異なるサイズを有している。このサイズ変更に対応するため、バックシェル６０Ａは、連結部９４Ａ，９６Ａを設けることとしている。
【００３７】
詳しくは、バックシェル６０Ａの上側部材７０Ａは、開口部７２及び第２接触部７４から所定方向において離れて位置している主部９０Ａと、第２接触部７４と主部９０Ａとを連結する連結部９４Ａとを有している。一方、バックシェル６０Ａの下側部材８０Ａは、開口部８２及び第２接触部８４から所定方向において離れて位置している主部９２Ａと、第２接触部８４と主部９２Ａとを連結する連結部９６Ａとを有している。特に、本実施の形態による連結部９４Ａ，９６Ａは、所定方向を含む平面（例えば、ＸＺ平面やＹＺ平面など）内において台形形状の断面を有する筒状の形状を有している。より具体的には、本実施の形態の連結部９４Ａ，９６Ａは、側面が台形形状の筒状形状を有している。この連結部９４Ａ，９６Ａの高さ（Ｚ方向のサイズ）を変更することにより、バックシェル６０Ａの所定方向におけるサイズが変わったとしても、第１接触部５０Ｕ，５０Ｌの第２接触部７４，８４に対する相対位置関係を上述したバックシェル６０（図１及び図２参照）の場合と同じ状態にすることができる。また、上述したバックシェル６０（図１及び図２参照）の場合と同様に、第１接触部５０Ｕ，５０Ｌを第２接触部７４，８４に接触させると共に開口部７２，８２を通して被固定部５２Ｕ，５２Ｌを第２接触部７４，８４に半田により固着して、バックシェル６０Ａの姿勢を安定させることができる。
【００３８】
以上、本発明について具体的に説明してきたが、本発明はこれらに限定されるわけではなく、様々な変形が可能である。
【００３９】
上述した実施の形態においては、フロントシェル４０とバックシェル６０，６０Ａとの接続等に半田を用いているが、本発明はこれに限定されるわけではなく、半田に代えて他の導電性固着剤を用いてもよい。
【００４０】
上述した実施の形態においては、第１接触部５０Ｕ及び被固定部５２Ｕが同一の板状部の一部として形成されていたが、被固定部５２Ｕが第１接触部５０Ｕよりも上側に突出していてもよい。また、上述した実施の形態においては、被固定部５２Ｌが第１接触部５０Ｌよりも下側に突出していたが、第１接触部５０Ｌ及び被固定部５２Ｌが同一の板状部の一部として形成されていてもよい。
【００４１】
上述した実施の形態において、第２パッド１２０は、パドルカード１００の上面１０２Ｕ及び下面１０２Ｌ上に形成されていたが、例えば、パドルカード１００の側面（横方向と直交するエッジ）上に形成されていてもよい。
【符号の説明】
【００４２】
１０，１０Ａ        コネクタ
１５        コネクタ本体
２０        コンタクト
２２        接点部
２４        接続部
３０        保持部材
４０        フロントシェル（シェル）
４２        主部
４４        突出部
５０Ｕ，５０Ｌ        第１接触部
５２Ｕ，５２Ｌ        被固定部
５４        側突部
６０，６０Ａ        バックシェル
７０，７０Ａ        上側部材
７２        開口部
７４        第２接触部
７６        側開口部
７８        側突部
８０，８０Ａ        下側部材
８２        開口部
８４        第２接触部
８６        側開口部
９０Ａ，９２Ａ        主部
９４Ａ、９６Ａ        連結部
１００        パドルカード（中継基板）
１０２Ｕ        上面（主面）
１０２Ｌ        下面（主面）
１１０        第１パッド
１２０        第２パッド
１３０        第３パッド
２００        ケーブル
２１０        芯線
【図１】
2015230770.tif 000003
【図２】
2015230770.tif 000004
【図３】
2015230770.tif 000005
【図４】
2015230770.tif 000006
【図５】
2015230770.tif 000007
【図６】
2015230770.tif 000008
【図７】
2015230770.tif 000009
【図８】
2015230770.tif 000010
【図９】
2015230770.tif 000011
【図１０】
2015230770.tif 000012
【図１１】
2015230770.tif 000013
【図１２】
2015230770.tif 000014
【図１３】
2015230770.tif 000015
【図１４】
2015230770.tif 000016
【図１５】
2015230770.tif 000017
【図１６】
2015230770.tif 000018
【図１７】
2015230770.tif 000019
【図１８】
2015230770.tif 000020
【図１９】
2015230770.tif 000021
【図２０】
2015230770.tif 000022